(57)【要約】【課題】飛散トナーを効率良く吸引するととともに、吸引口にトナーが残存するのを防止し、長期にわたって飛散トナーの回収性能を維持する。【解決手段】現像装置２０は、感光体１１と現像ローラー２１の間の対向部に向いた吸引口２５ｂを有するダクト２５ａを介し、対向部において飛散するトナーを吸引する吸引手段２５と、第１電極部材２６ａと第２電極部材２６ｂが対向配置されてダクト２５ａ内に電界を形成する電界形成手段２６と、少なくとも第２電極部材２６ｂに振動を加える加振手段２７と、制御手段４０と、を備え、制御手段４０は、トナー像の形成時において、電界形成手段２６により、第２電極部材２６ｂ側にトナーを向かわせる第１方向の電界を形成させ、加振手段２７による加振時において、電界形成手段２６により、第１方向と反対方向の第２方向の電界を形成させる。【選択図】図２
2019207302.tif 000002
【特許請求の範囲】
【請求項１】
トナーを収容する筐体と、
前記筐体の開口部の像担持体に対向する位置に配され、前記像担持体上に形成された静電潜像にトナーを供給してトナー像を形成するトナー担持体と、
前記像担持体と前記トナー担持体の間の領域に向いた吸引口を有するダクトを介し、前記領域において飛散するトナーを吸引する吸引手段と、
第１電極部材と第２電極部材が対向配置された電極部を有し、前記ダクト内に電界を形成する電界形成手段と、
少なくとも前記第２電極部材に振動を加える加振手段と、
制御手段と、
を備え、
前記制御手段は、
前記トナー像の形成時において、前記電界形成手段により、前記第２電極部材側にトナーを向かわせる第１方向の電界を形成させ、
前記加振手段による加振時において、前記電界形成手段により、前記第１方向と反対方向の第２方向の電界を形成させることを特徴とする現像装置。
【請求項２】
前記第１電極部材は、前記第２電極部材よりも前記トナー担持体により近い位置に配置されることを特徴とする請求項１に記載の現像装置。
【請求項３】
前記第１電極部材と前記第２電極部材は、鉛直方向に沿って上下に配置され、
鉛直下方向からみた場合に、上側の前記第２電極部材が、下側の前記第１電極部材に完全に隠れることを特徴とする請求項２に記載の現像装置。
【請求項４】
前記ダクトは、前記筐体の上方に配され、
前記制御手段は、前記トナー像の形成時において、前記第１電極部材の電位を、前記トナー担持体と同一、或いは、前記トナー担持体よりもトナーに対して反発力を与える極性とすることを特徴とする請求項２又は３に記載の現像装置。
【請求項５】
前記トナー担持体の上方には、飛散防止部材が配され、
前記第１電極部材は、前記飛散防止部材に備えられることを特徴とする請求項１から４のいずれか一項に記載の現像装置。
【請求項６】
前記加振手段は、前記第２電極部材、或いは、前記第２電極部材が取り付けられた取付部に衝突して、前記第２電極部材に振動を加えることを特徴とする請求項１から５のいずれか一項に記載の現像装置。
【請求項７】
前記第２電極部材は、前記筐体よりも柔らかい部材を介して前記吸引口に取り付けられるとともに、振動伝達部材と連結されており、
前記加振手段は、前記振動伝達部材に衝突することで、前記振動伝達部材を介して前記第２電極部材に振動を加えることを特徴とする請求項１から５のいずれか一項に記載の現像装置。
【請求項８】
前記振動伝達部材の少なくとも一部は、金属であることを特徴とする請求項７に記載の現像装置。
【請求項９】
前記電極部は、前記第１電極部材又は前記第２電極部材のいずれか一方の表面に対して垂直な方向からみた場合に重なって形成される図形の各辺の長さが、前記第１電極部材及び前記第２電極部材の間の距離の２倍以上となるように設定されていることを特徴とする請求項１から８のいずれか一項に記載の現像装置。
【請求項１０】
前記制御手段は、少なくとも加振開始から所定時間が経過するまでは、前記吸引手段による吸引を継続させることを特徴とする請求項１から９のいずれか一項に記載の現像装置。
【請求項１１】
前記制御手段は、前記加振手段により所定時間連続して前記吸引口に振動を加え、
加振開始からの時間の経過に伴って、前記第２方向の電界の大きさを大きくしていくことを特徴とする請求項１から１０のいずれか一項に記載の現像装置。
【請求項１２】
像担持体と、前記像担持体上に形成された静電潜像にトナーを供給してトナー像を形成する請求項１〜１１のいずれか一項に記載の現像装置と、を有し、前記現像装置により形成されたトナー像を用紙に形成する画像形成部を備えることを特徴とする画像形成装置。
【発明の詳細な説明】
【技術分野】
【０００１】
本発明は、現像装置及び画像形成装置に関する。
【背景技術】
【０００２】
電子写真方式の画像形成装置では、感光体（像担持体）に静電潜像を形成し、この静電潜像にトナーを付着させることにより静電潜像を可視化してトナー像を形成する。感光体の近傍には、トナーを感光体に供給する現像装置が配置されている。現像装置は、その周面にトナーを保持する現像ローラー（トナー担持体）を有し、感光体の表面に形成された静電潜像が現像ローラーと対向する現像領域を通過するときに、トナーが静電的に転移する。
【０００３】
かかる構成においては、現像ローラーから感光体にトナーが転移するときに、トナーの一部が現像ローラーや感光体の周辺で飛散し、画質に好ましくない影響を与えることが知られている。
これに対して、例えば、特許文献１には、感光体表面の現像装置が近接する位置に吸引口を設け、画像形成動作時において飛散トナーを吸引するとともに、画像形成動作の停止後、吸引を継続した状態で、その吸引口に設けた複数の電極により振動電界を形成し、吸引口に付着したトナーを吸引する技術が提案されている。
【先行技術文献】
【特許文献】
【０００４】
【特許文献１】特開２０１０−２３０８２１号公報
【発明の概要】
【発明が解決しようとする課題】
【０００５】
しかしながら、上記特許文献１の技術では、長期の使用に応じて電極表面にトナーが残存していくため、トナー回収力の低下は免れない。そして、電極表面にトナーが残存した場合に、これを効率的に清掃することが難しい。
【０００６】
本発明は、上記問題に鑑みてなされたものであって、飛散トナーを効率良く吸引するととともに、吸引口にトナーが残存するのを防止し、長期にわたって飛散トナーの回収性能を維持することのできる現像装置及び画像形成装置を提供することを目的とする。
【課題を解決するための手段】
【０００７】
上記課題を解決するため、本発明は、現像装置において、
トナーを収容する筐体と、
前記筐体の開口部の像担持体に対向する位置に配され、前記像担持体上に形成された静電潜像にトナーを供給してトナー像を形成するトナー担持体と、
前記像担持体と前記トナー担持体の間の領域に向いた吸引口を有するダクトを介し、前記領域において飛散するトナーを吸引する吸引手段と、
第１電極部材と第２電極部材が対向配置された電極部を有し、前記ダクト内に電界を形成する電界形成手段と、
少なくとも前記第２電極部材に振動を加える加振手段と、
制御手段と、
を備え、
前記制御手段は、
前記トナー像の形成時において、前記電界形成手段により、前記第２電極部材側にトナーを向かわせる第１方向の電界を形成させ、
前記加振手段による加振時において、前記電界形成手段により、前記第１方向と反対方向の第２方向の電界を形成させることを特徴とする。
【０００８】
また、本発明は、画像形成装置において、
像担持体と、前記像担持体上に形成された静電潜像にトナーを供給してトナー像を形成する前記現像装置と、を有し、前記現像装置により形成されたトナー像を用紙に形成する画像形成部を備えることを特徴とする。
【発明の効果】
【０００９】
本発明によれば、飛散トナーを効率良く吸引するととともに、吸引口にトナーが残存するのを防止し、長期にわたって飛散トナーの回収性能を維持することができる。
【図面の簡単な説明】
【００１０】
【図１】本実施の形態に係る画像形成装置を示す概略構成図である。
【図２】現像装置の周辺を示す概略構成図である。
【図３】加振機構の模式図である。
【図４】吸引口近傍のトナーについて説明するための図である。
【図５】他の態様の現像装置の周辺を示す概略構成図である。
【図６】図５の矢印ＶＩの方向から現像装置を見た図である。
【発明を実施するための形態】
【００１１】
以下、本発明の実施の形態について図面を参照して説明する。ただし、発明の範囲は、図示例に限定されない。
【００１２】
［画像形成装置の構成］
まず、本実施の形態における画像形成装置の構成について説明する。
本実施の形態における画像形成装置は、電子写真プロセス技術を利用した中間転写方式のカラー画像形成装置である。
【００１３】
図１は、画像形成装置１００の概略構成図である。
図１に示すように、画像形成装置１００は、例えば、画像形成部１０、給紙部３０、制御部（制御手段）４０等を備えて構成されている。
【００１４】
画像形成部１０は、イエロー（Ｙ）、マゼンタ（Ｍ）、シアン（Ｃ）、ブラック（Ｋ）の各色に対応する感光体（像担持体）１１Ｙ，１１Ｍ，１１Ｃ，１１Ｋ、帯電部１２Ｙ，１２Ｍ，１２Ｃ，１２Ｋ、露光部１３Ｙ，１３Ｍ，１３Ｃ，１３Ｋ、現像装置２０Ｙ，２０Ｍ，２０Ｃ，２０Ｋ、１次転写ローラー１５Ｙ，１５Ｍ，１５Ｃ，１５Ｋ、クリーニング部１６Ｙ，１６Ｍ，１６Ｃ，１６Ｋと、中間転写ベルト１７と、２次転写ローラー１８と、定着部１９と、を備える。
なお、以下の説明において、感光体１１Ｙ，１１Ｍ，１１Ｃ，１１Ｋ、帯電部１２Ｙ，１２Ｍ，１２Ｃ，１２Ｋ、露光部１３Ｙ，１３Ｍ，１３Ｃ，１３Ｋ、現像装置２０Ｙ，２０Ｍ，２０Ｃ，２０Ｋ、１次転写ローラー１５Ｙ，１５Ｍ，１５Ｃ，１５Ｋ、クリーニング部１６Ｙ，１６Ｍ，１６Ｃ，１６Ｋを、それぞれ纏めて、感光体１１、帯電部１２、露光部１３、現像装置２０、１次転写ローラー１５、クリーニング部１６と記載する。
【００１５】
感光体１１は、ドラム状の金属基体の外周面に有機光導電体を含有させた樹脂からなる感光層が形成された有機感光体により構成される。
【００１６】
帯電部１２は、帯電チャージャーを用いて感光体１１をマイナス極性で一定の電位に帯電させる。
【００１７】
露光部１３は、レーザー光源、ポリゴンミラー、レンズ等から構成され、各色の画像データに基づいて感光体１１の表面をレーザービームにより走査露光して静電潜像を形成する。
【００１８】
現像装置２０は、例えば、トナーとキャリアからなる二成分現像剤を用いて、感光体１１上に形成された静電潜像を現像する。
【００１９】
１次転写ローラー１５は、中間転写ベルト１７を介して感光体１１と対向配置されて１次転写ニップ部を形成し、感光体１１上に形成された各色のトナー像を、中間転写ベルト１７上に逐次転写させる（１次転写）。これにより、中間転写ベルト１７上には、４色のトナー像が重ね合わされたカラートナー像が形成される。
【００２０】
クリーニング部１６は、転写後の感光体１１の周面上に残ったトナーを除去する。
【００２１】
中間転写ベルト１７は、複数のローラー（駆動ローラー、テンションローラー、従動ローラー）により張架された無端状ベルトであり、図１の矢印Ａで示す方向に周回駆動される。
【００２２】
２次転写ローラー１８は、中間転写ベルト１７を介して対向ローラー１８ａと当接配置されて２次転写ニップ部を形成し、中間転写ベルト１７上に形成されたカラートナー像を、給紙部３０から供給された用紙Ｓの一方の面上に一括して転写させる（２次転写）。
【００２３】
定着部１９は、用紙Ｓ上に転写されたトナーを、加熱・加圧により用紙Ｓ上に定着させる。
【００２４】
給紙部３０は、画像形成装置１００の下部に備えられ、着脱可能な給紙カセット３１を備えている。給紙カセット３１に収容された用紙Ｓは、その最上部のものより１枚ずつ給紙ローラー３２によって搬送経路に送り出されるようになっている。
【００２５】
制御部４０は、上記した画像形成部１０及び給紙部３０の他、例えば、操作部、表示部、記憶部、通信部、自動原稿搬送部、スキャナー部（何れも図示せず）等の、画像形成装置１００を構成する各部に接続されている。
制御部４０は、ＣＰＵ（Central Processing Unit）、ＲＯＭ（Read Only Memory）、ＲＡＭ（Random Access Memory）等により構成され、画像形成装置１００の各部の処理動作を統括的に制御する。ＣＰＵは、ＲＯＭに記憶されている各種処理プログラムを読み出してＲＡＭに展開し、展開されたプログラムに従って、各種処理を実行する。
例えば、制御部４０は、ジョブ実行指令に応じてジョブを実行し、スキャナー部や通信部により入力される画像データに基づいて、用紙Ｓに画像を形成させる。
【００２６】
［現像装置の構成］
次に、現像装置２０の構成について詳述する。
図２は、現像装置２０の周辺を示す拡大模式図である。
図２に示すように、現像装置２０は、現像剤（図示省略）を収容する筐体ＣＡと、筐体ＣＡの開口部Ｎに設けられた現像ローラー（トナー担持体）２１と、現像剤を撹拌する撹拌スクリュー２２と、を備えている。
【００２７】
現像ローラー２１は、筐体ＣＡの開口部Ｎにおいて、感光体１１と現像領域を介して対向するように配置される。現像ローラー２１は、回転可能な現像スリーブと、現像スリーブの内部に配置された現像マグネットローラーとを備えており、現像マグネットローラー内には、磁界を発生させる複数の磁極が配置されている。現像スリーブには、例えば、帯電部１２の帯電極性と同極性、即ちマイナス極性の直流電圧に、交流電圧が重畳された現像バイアスが印加され、これにより、感光体１１に形成された静電潜像上に現像剤を供給し、感光体１１に各色のトナー像を形成する。
【００２８】
具体的に、現像ローラー２１は、感光体１１に対して所定の間隔（現像ギャップと記す）をあけて矢印Ｃで示す方向に回転可能に配置されている。現像ギャップは、例えば、０．２〜０．５ｍｍ程度に設定される。現像ローラー２１の回転動作の制御は、制御部４０によって行われる。
二成分現像では、キャリアにトナーを一定の割合で静電的に付着させ、このトナーの付着したキャリアを現像マグネットローラーが作る磁界によって現像スリーブ上に付着させて搬送する。スリーブ上のキャリアは磁気力によって穂立ちしており、穂の先端が感光体１１に接触する。この際、トナーが静電気力によって感光体１１の表面に形成された静電潜像に移動し、付着して現像がなされる。
【００２９】
この現像ローラー２１の周囲には、現像ローラー２１に付着する現像剤量を規定する規制ブレード２３と、規制ブレード２３により規制された現像剤が飛散するのを防止する飛散防止部材２４と、が備えられている。
【００３０】
規制ブレード２３は、ブレードホルダー２３ａを介して筐体ＣＡの上蓋の内面に保持され、その先端が現像ローラー２１の表面近傍に位置するように配置される。これにより、現像ローラー２１の表面には一定の厚さにて現像剤が保持されることとなる。
【００３１】
飛散防止部材２４は、現像ローラー２１の回転方向において規制ブレード２３よりも下流側であって、現像ローラー２１の上方となる位置に配置される。
【００３２】
また、現像装置２０は、感光体１１と現像ローラー２１の間に発生する飛散トナーを吸引する吸引手段２５を備えている。
吸引手段２５は、筐体ＣＡの上蓋の外面に沿って配されるダクト２５ａと、図示しないファンとを有する。ダクト２５ａの先端部である吸引口２５ｂは、感光体１１表面の現像ローラー２１が近接する位置に設置されている。ダクト２５ａ内の空気はファンにより吸引され、感光体１１と現像ローラー２１の間に発生した飛散トナーは、吸引口２５ｂからダクト２５ａ内に取り込まれ、ダクト２５ａを搬送された後、図示しない回収槽に回収される。
【００３３】
また、現像装置２０は、ダクト２５ａ内の飛散トナーに電気的な力を与える電界を形成する電極部を有する電界形成手段２６を備えている。電極部は、鉛直方向の下方に位置する第１電極部材２６ａと、鉛直方向の上方に位置する第２電極部材２６ｂとを備え、第１電極部材２６ａ及び第２電極部材２６ｂは、互いに対向配置されている。
この第１電極部材２６ａ及び第２電極部材２６ｂは、いずれも長尺な矩形状の板体であるが、その形状はこれに限定されない。
第１電極部材２６ａは、飛散防止部材２４に設けられ、第２電極部材２６ｂは、ダクト２５ａの内部上面に設けられている。
また、鉛直下方向から見た場合に、第２電極部材２６ｂが、第１電極部材２６ａに完全に隠れるよう、そのサイズや位置が設定されている。
【００３４】
また、現像装置２０は、少なくとも第２電極部材２６ｂに振動を加えることの可能な加振手段２７を備えている。加振手段２７は、所定タイミングで吸引口２５ｂの近傍に衝撃を与え、第２電極部材２６ｂを振動させるものである。
【００３５】
図３は、加振手段２７の構成の一例を説明するための図である。
図３に示すように、加振手段２７は、鉛直方向に長尺な筐体２７ａと、筐体２７ａの一側面から他側面にかけて筐体２７ａ内部を貫通するように設けられた棒状部材２７ｂと、棒状部材２７ｂに連結されたバネ２７ｃと、棒状部材２７ｂとバネ２７ｃの間に配される偏心カム２７ｄと、を備えて構成される。
筐体２７ａは、その下端部が、ダクト２５ａの吸引口２５ｂの上面に接している。具体的には、吸引口２５ｂの第２電極部材２６ｂが取り付けられた取付部の上面に接している。即ち、加振手段２７は、吸引口２５ｂの上記取付部を介して第２電極部材２６ｂと対向する位置に配置されている。
棒状部材２７ｂには、バネ２７ｃにより下向きの張力がかかっている。偏心カム２７ｄは、図示しない駆動部の駆動により、周縁の一点が常に棒状部材２７ｂに接触するように回転し、その接触点が偏心カム２７ｄの段差部を超える際に、バネ２７ｃの伸縮力によって衝撃が発生し、ダクト２５ａに振動を加えることとなる。
なお、加振手段２７は、ダクト２５ａを振動させることができるものであればその構成に特に限定はなく、上記の構成はあくまで一例である。
【００３６】
この加振手段２７は、第２電極部材２６ｂの上方となる位置に配置される。このため、発生した衝撃力が第２電極部材２６ｂに伝わりやすく、トナーを落とすにあたってより効果的な構成となっている。
【００３７】
［画像形成装置１００の動作］
次に、画像形成装置１００の動作について説明する。
【００３８】
画像形成動作において、感光体１１の回転が開始されると、帯電部１２によって感光体１１の表面が所定電位にほぼ一様に帯電される。一方、露光部１３は、画像データに基づいて点滅するレーザービームを出力し、感光体１１の表面に走査される。これにより、感光体１１の表面のレーザービームが照射された位置の電位が減衰し、静電電位の差による静電潜像が感光体１１の表面に形成される。
【００３９】
感光体１１の表面に形成された静電潜像は、感光体１１の回転により現像ローラー２１と対向する現像領域へ搬送される。現像ローラー２１と感光体１１との間には現像バイアスが印加され、現像領域で電界が形成される。感光体１１の表面がこの現像領域を通過するときに感光体１１表面の除電された潜像部に現像ローラー２１に付着しているトナーが静電的に転移しトナー像が形成される。
感光体１１が回転し、現像されたトナー像が一次転写位置へ搬送されると、１次転写ローラー１５に一次転写バイアスが印加され、感光体１１の表面のトナー像が中間転写ベルト１７の表面に転写される。一方、転写後の感光体１１の表面に残留した転写残トナーは、クリーニング部１６により除去される。
【００４０】
このようにして、各色のトナー像が重ねて転写された中間転写ベルト１７は、矢印Ａ方向に周回移動し、２次転写ローラー１８が中間転写ベルト１７と接触する位置に搬送される。
２次転写ローラー１８と中間転写ベルト１７との間には、所定のタイミングで用紙Ｓが送り込まれ、中間転写ベルト１７の表面のトナー像が用紙Ｓに転写される。その後、用紙Ｓは定着部１９へと送り込まれ、トナー像が加熱及び加圧されて用紙Ｓの表面に定着される。カラー画像の定着が完了した用紙Ｓは、排出部（図示せず）へ向けて搬出され、一連のカラー画像形成動作が終了する。
【００４１】
上記画像形成動作中（トナー像の形成時）においては、制御部４０は、吸引手段２５のファンを作動させ、現像領域で発生する飛散トナーを、吸引口２５ｂから吸引している。吸引された飛散トナーは、空気流によってダクト２５ａ内を搬送され、回収槽に回収される。
また、このとき制御部４０は、吸引口２５ｂの内部に、電界形成手段２６により、第２電極部材２６ｂ側にトナーを向かわせる第１方向の電界を形成させる。
これにより、図４（ａ）に示すように、搬送されず吸引口２５ｂ周辺に存存した飛散トナーは、吸引口２５ｂ内部の、第２電極部材２６ｂ側の壁面に付着することとなり、吸引口２５ｂの下部に堆積しづらくなる。
また、このとき第１電極部材２６ａの電位は、現像ローラー２１と同じか、それよりもトナーに対して反発力を及ぼす極性となるように制御されている。これにより、現像ローラー２１から第１電極部材２６ａにトナーが転移するのが防止される。
【００４２】
そして、所定枚数の画像形成処理が実施されると、制御部４０は、画像形成動作を停止して現像バイアスの印加をＯＦＦ状態とする。
すると、制御部４０は、吸引手段２５のファンの駆動を継続した状態で、電界形成手段２６により、第１方向と反対方向の第２方向の電界を形成させる（極性を切り換える）とともに、加振手段２７により、吸引口２５ｂ（少なくとも第２電極部材２６ｂ）を振動させる。
これにより、図４（ｂ）に示すように、吸引口２５ｂの内壁（上側の第２電極部材２６ｂ）に付着している飛散トナーの付着力を失わせるタイミングで、吸引口２５ｂ（第２電極部材２６ｂ）に衝撃が加わるため、付着している飛散トナーが叩き落とされることとなる。叩き落とされた飛散トナーは、空気流によってダクト２５ａ内を回収槽に向けて搬送される。
【００４３】
したがって、画像形成動作中には、吸引しきれず残存した飛散トナーは、吸引口２５ｂ内部上面の第２電極部材２６ｂ側に付着されるので、吸引口２５ｂからこぼれてトナー像に悪影響を与えることがなく、また、画像形成動作の停止後には、第２電極部材２６ｂに付着していた飛散トナーを叩き落として吸引できるので、第２電極部材２６ｂを効率的に清掃することができる。
【００４４】
また、加振手段２７が、ダクト２５ａを介して第２電極部材２６ｂと対向する位置に設けられていることで、第２電極部材２６ｂに効率的に衝撃を加えることができるようになっている。なお、第２電極部材２６ｂをダクト２５ａの外面に設置するなどして、第２電極部材２６ｂを直接叩く構成としてもよい。
また、鉛直下方向からみて、第２電極部材２６ｂが、第１電極部材２６ａに完全に隠れるように設定されることで、第２電極部材２６ｂから飛散トナーが剥離した際に、第１電極部材２６ａが受け皿として機能し、飛散トナーが現像ローラー２１まで落下するのを防止することができる。
【００４５】
［本実施の形態による効果］
以上のように、本実施の形態によれば、画像形成装置１００によれば、トナーを収容する筐体ＣＡと、筐体ＣＡの開口部Ｎの感光体１１に対向する位置に配され、感光体１１上に形成された静電潜像にトナーを供給してトナー像を形成する現像ローラー２１と、感光体１１と現像ローラー２１の間の対向部に向いた吸引口２５ｂを有するダクト２５ａを介し、対向部において飛散するトナーを吸引する吸引手段２５と、第１電極部材２６ａと第２電極部材２６ｂが対向配置された電極部を有し、ダクト２５ａ内に電界を形成する電界形成手段２６と、少なくとも第２電極部材２６ｂに振動を加える加振手段２７と、制御手段４０と、を備える。
制御手段４０は、トナー像の形成時において、電界形成手段２６により、第２電極部材２６ｂ側にトナーを向かわせる第１方向の電界を形成させ、加振手段２７による加振時において、電界形成手段２６により、第１方向と反対方向の第２方向の電界を形成させる。
このため、吸引口２５ｂ内の電場を切り換えることで、トナーの吸引口２５ｂの内壁への付着力がコントロールされ、トナー像の形成時には壁面への付着力を保ち、振動を加える際に付着力を失わせて吸引されやすくすることで、清掃効率を高めることができる。
よって、現像領域で発生する飛散トナーを効率良く吸引するととともに、吸引口２５ｂにトナーが残存するのを防止し、長期にわたって飛散トナーの回収性能を維持することができる。
【００４６】
また、本実施の形態によれば、第１電極部材２６ａは、第２電極部材２６ｂよりも現像ローラー２１により近い位置に配置される。
このため、トナー像の形成時において、現像ローラー２１から遠い第２電極部材２６ｂ側にトナーを付着させる構成とすることができる。
【００４７】
また、本実施の形態によれば、第１電極部材２６ａと第２電極部材２６ｂは、鉛直方向に沿って上下に配置され、鉛直下方向からみた場合に、上側の第２電極部材２６ｂが、下側の第１電極部材２６ａに完全に隠れる。
このため、加振時に吸引口２５ｂの内壁から剥離したトナーが、現像ローラー２１上に落下するのを防止することができる。
【００４８】
また、本実施の形態によれば、ダクト２５ａは、筐体ＣＡの上方に配され、制御部４０は、トナー像の形成時において、前記第１電極部材２６ａの電位を、現像ローラー２１と同一、或いは、現像ローラー２１よりもトナーに対して反発力を与える極性とする。
このため、トナー像の形成時、現像ローラー２１から前記第１電極部材２６ａにトナーが転移するのを防止することができる。
【００４９】
また、本実施の形態によれば、現像ローラー２１の上方には、飛散防止部材２４が配され、第１電極部材２６ａは、飛散防止部材２４に備えられる。
このため、第１電極部材２６ａの設置が容易となる。
【００５０】
また、本実施の形態によれば、第１電極部材２６ａと第２電極部材２６ｂのいずれか一方の表面に対して垂直な方向からみた場合に重なって形成される図形の各辺の長さが、当該第１電極部材２６ａと第２電極部材２６ｂの間の距離の２倍以上となるように設定されている。
このため、２つの電極部材間に適切な電場を形成することができる。
【００５１】
また、本実施の形態によれば、加振手段２７は、前記第２電極部材２６ｂ、或いは、前記第２電極部材２６ｂが取り付けられた取付部に衝突して、前記第２電極部材２６ｂに振動を加える。
このため、効率的に前記第２電極部材２６ｂを振動させることができる。
【００５２】
また、本実施の形態によれば、制御部４０は、少なくとも加振開始から所定時間が経過するまでは、吸引手段２５による吸引を継続させる。
このため、トナーをより確実に回収することができる。
【００５３】
なお、本発明を適用可能な実施の形態は、上述した実施の形態に限定されることなく、本発明の趣旨を逸脱しない範囲で適宜変更可能である。
【００５４】
例えば、上記実施の形態においては、加振手段２７が、ダクト２５ａの電極部材２６ｂが取り付けられた取付部を叩く構成を例示して説明したが、第２電極部材２６ｂに効率的に振動を加えることができるものであれば、これ以外の構成としても良い。
【００５５】
図５に、他の態様の現像装置２０Ａを示す。図６は、図５の矢印ＶＩ方向からみた上面図である。
図５、図６に示すように、現像装置２０Ａでは、第２電極部材２６ｂが、筐体ＣＡよりも柔らかい軟質部材２６ｃを介してダクト２５ａに取り付けられるとともに、振動伝達部材２８と連結されている。
軟質部材２６ｃとは、例えば、シリコンゴムや薄い樹脂製のシール部材などである。
また、振動伝達部材２８は、ダクト２５ａの上面に沿って設けられ、支点２８ａにより支持されている。そして、振動伝達部材２８は、その一端部が第２電極部材２６ｂと連結され、他端部に加振手段２７が備えられている。
かかる構成においては、加振手段２７は、振動伝達部材２８に衝突することで、振動伝達部材２８を介して電極部材２６ｂに振動を加えることができる。
なお、振動伝達部材２８の材質としては、金属、樹脂、これらの混合物を用いることができる。例えば、振動伝達部材２８の支点２８ａから他端部にかけては、衝撃が加わるため金属とすることが好ましい。また、振動伝達部材２８の一端部も、電極部材２６ｂとの連結加工を容易にするため、金属とすることが好ましい。
このとき、第２電極部材２６ｂが軟質部材２６ｃを介してダクト２５ａに取り付けられることで、第２電極部材２６ｂのみが振動し、他の部材の振動を抑えることができる。
【００５６】
また、加振手段２７により、所定時間連続して吸引口２５ｂに振動を加える制御を行っても良い。
この場合、加振開始からの時間の経過に伴って、第２方向の電界の大きさを徐々に大きくしていくことが好ましい。これにより、トナー落下量を一定に保ち、吸引手段２５に掛かる負荷を低減させることができる。
【００５７】
また、上記実施の形態においては、第１電極部材２６ａ及び第２電極部材２６ｂが、吸引口２５ｂの下側及び上側にある構成を例示したが、その位置は上下に限定されない。
【００５８】
また、上記実施の形態においては、中間転写ベルト１７を備えた画像形成部１０を例示して説明したが、中間転写ベルト１７を利用しない構成に適用することもできる。
【符号の説明】
【００５９】
１０  画像形成部
１１、１１Ｙ，１１Ｍ，１１Ｃ，１１Ｋ  感光体（像担持体）
１２、１２Ｙ，１２Ｍ，１２Ｃ，１２Ｋ  帯電部
１３、１３Ｙ，１３Ｍ，１３Ｃ，１３Ｋ  露光部
１５、１５Ｙ，１５Ｍ，１５Ｃ，１５Ｋ  １次転写ローラー
１６、１６Ｙ，１６Ｍ，１６Ｃ，１６Ｋ  クリーニング部
１７  中間転写ベルト
１８  ２次転写ローラー
１９  定着部
２０、２０Ａ、２０Ｙ，２０Ｍ，２０Ｃ，２０Ｋ  現像装置
ＣＡ  筐体
Ｎ  開口部
２１  現像ローラー（トナー担持体）
２２  撹拌スクリュー
２３  規制ブレード
２３ａ  ブレードホルダー
２４  飛散防止部材
２５  吸引手段
２５ａ  ダクト
２５ｂ  吸引口
２６  電界形成手段
２６ａ  第１電極部材（電極部）
２６ｂ  第２電極部材（電極部）
２６ｃ  軟質部材
２７  加振手段
２７ａ  筐体
２７ｂ  棒状部材
２７ｃ  バネ
２７ｄ  偏心カム
２８  振動伝達部材
２８Ａ  支点
３０  給紙部
４０  制御部
１００  画像形成装置
Ｓ  用紙
【図１】
2019207302.tif 000003
【図２】
2019207302.tif 000004
【図３】
2019207302.tif 000005
【図４】
2019207302.tif 000006
【図５】
2019207302.tif 000007
【図６】
2019207302.tif 000008